(57)【要約】【課題】冷凍サイクルの凝縮熱が無駄に排水により捨てられていた。【解決手段】凝縮器４の凝縮熱により、水道水を昇温して浴槽１２に貯湯し入浴に使用することで、凝縮熱を無駄に捨てることがなくなる為省資源省エネルギーが図れる。【選択図】  図１
2005009232.tif 000002
【特許請求の範囲】
【請求項１】
冷凍サイクルを構成する圧縮機、凝縮器、蒸発器と、送風機と、蒸発器と送風機から発生する冷風をトイレ室内に吹出す構成において、前記凝縮器をロータンク内に配置し、ロータンクの湯を浴槽に貯湯する構成とした冷房装置付きトイレ装置。
【請求項２】
ロータンク内に水温センサーを設け、ロータンク内の水が所定の温度に上昇した後、ロータンクの湯を浴槽に貯湯する構成とした請求項１に記載の冷房装置付きトイレ装置。
【請求項３】
水温センサーを凝縮器より高い位置に設けた構成とした請求項２に記載の冷房装置付きトイレ装置。
【発明の詳細な説明】
【０００１】
【発明の属する技術分野】
本発明は、トイレ装置に関し、特に冷房機能を備えたトイレ装置に関するものである。
【０００２】
【従来の技術】
トイレ部屋内を冷房する装置としては、ロータンク内に凝縮器を配置しているものがある（例えば、特許文献１参照）。
【０００３】
トイレ部屋内を冷房する装置として図２に示すような冷房装置付きトイレ装置（一部透視の概略構成図である）がある。
【０００４】
図２において、１はケースで、その中に、便器洗浄を行うための洗浄水を貯水するロータンク２と、冷房装置として圧縮機３、凝縮器４、減圧手段５、蒸発器６、送風機７が内蔵されている。ケース１には吹出口８が開口している。９は便器である。
【０００５】
次に動作、作用について説明する。圧縮機３によって圧縮された冷媒は高温高圧の気体となり、凝縮器４に送り込まれる。凝縮器４では冷媒はロータンク２に満たされた水に凝縮熱を放熱して高圧のまま凝縮し液体となる。その後、冷媒は減圧手段５によって減圧され、蒸発器６によって蒸発気化する。この時、蒸発器６には送風機７によって風が通り、風は気化熱により冷やされた後に吹出口８から吹き出る。蒸発気化した冷媒は再び圧縮機３に戻って圧縮され、これを繰り返して冷凍サイクルが形成される。この様にして、トイレ装置から冷風を出し、冷房を行うことができる。ルームエアコンの室外機のような熱気を出すこともなく、また、冷風発生と凝縮熱の放熱がトイレ装置のケース内に収まり、コンパクトな冷房装置付きトイレ装置を構成することができる。
【０００６】
【特許文献１】
特開２０００−９６６６３号公報
【０００７】
【発明が解決しようとする課題】
しかしながら、前記従来の冷房装置付きトイレ装置では、凝縮器４で発生する凝縮熱はロータンク２内の水に放熱されるため、長時間冷凍サイクルが運転されるとロータンク２内の水の温度が上昇し凝縮器４での熱交換効率が落ちる。そこで熱交換率を維持するためにロータンク２内の水を一定時間毎に排水し、新たな冷水を供給していた。従って加熱された有益な湯を無駄に捨てていた。近年資源の有効活用が求められており、排水されるお湯の有効活用が必要であった。
【０００８】
本発明は、前記従来の課題を解決するもので、排水されるお湯の有効活用が出来る構成とした冷房装置付きトイレ装置を提供することを目的とする。
【０００９】
【課題を解決するための手段】
前記従来の課題を解決するために、本発明の冷房装置付きトイレ装置は、凝縮器の熱により水を昇温し浴槽に供給する構成としたものである。これによって、お湯を無駄に捨てることなく、凝縮器の凝縮熱で昇温されたお湯を浴槽の湯として有効に使用でき省資源、省エネルギーが達成できる。また冷房装置付きトイレ装置の設置されるトイレも浴槽のある浴室も水周りの設備なので屋内の中で隣接してほとんど位置しており（ユニットバスは同じ室内にある）冷房装置付きトイレ装置の凝縮熱で浴槽内に供給される水を温める構成は、屋内のそれぞれの位置関係を考慮した場合無理のない合理的な組み合わせと考えられる。
【００１０】
【発明の実施の形態】
請求項１に記載の発明は、冷凍サイクルを構成する圧縮機、凝縮器、蒸発器と、送風機と、蒸発器と送風機から発生する冷風をトイレ室内に吹出す構成において、前記凝縮器をロータンク内に配置し、ロータンクの湯を浴槽に貯湯する構成としたので従来排水されていたお湯を有効に活用できる。
【００１１】
請求項２に記載の発明は、ロータンク内に水温センサーを設け、ロータンク内の水が所定の温度に上昇した後、ロータンクの湯を浴槽に貯湯する構成としたので、常に入浴に適した湯温の湯が得られ、追い炊きの必要がなく更に省エネが図れる。
【００１２】
請求項３に記載の発明は、水温センサーを凝縮器より高い位置に設けた構成としたので、浴槽への排水により水温センサーより水位が下がると水温センサーが空気に触れ、水温センサーの温度が下がることで給水を開始する構成にしたので、水がなくなり凝縮器が水より露出し熱交換ができなくなり冷凍サイクルが維持されなくなることがない。
【００１３】
【実施例】
以下、本発明の実施例について図面を用いて説明する。
【００１４】
（実施例１）
図１は本発明の実施例１の冷房装置付きトイレ装置の冷凍サイクルと浴槽へのお湯の供給方法の概略図である。従来例と同じ機能の部品には、同じ符号が付与してあり、説明を省略してある。
【００１５】
図１において、１０はロータンク内の水、１１は水１０の水温を感知する水温センサー、１２は浴槽、１３はロータンク２内の温度の高くなった水１０を浴槽１２へ排水する排水弁、１４はロータンク２に水道水を供給するための給水弁、１５はロータンク２の上限の水位を検知する上限水位センサー、である。
【００１６】
次に動作、作用について説明する。圧縮機３によって圧縮された冷媒は高温高圧の気体となり、凝縮器４に送り込まれる。凝縮器４の凝縮熱でロータンク２内の水１０が暖められる。水温センサー１１が水１０の温度を検知し、水１０の温度が所定の温度に達した事を感知すると、制御器（図示せず）よりの信号で排水弁１３が開き所定の温度になった水１０が浴槽１２へ供給される。次に排水により水１０の水位が下がり水位センサー１１より低くなると、水温センサーが空気に触れ、水温センサー１１の温度が下がることで、制御器が排水が終了した事を感知して、排水弁１３を閉じ給水弁１４を空ける事で水位センサー１１より下に位置する凝縮機４が空気に触れることなくロータンク２に温度の低い水の給水が開始される。水１０の水位が上昇して上限水位センサー１５に達すると制御器が給水弁１４を閉じる。尚本発明では、水温センサー１１で下限の水位を検知するようにしているが、水温センサー１１の代わりに下限の水位を検知する下限水位センサーを設けても良い。このような構成にしたので、従来排水されていたお湯の有効活用が出来る。また水温センサー１１で水１０の温度を検知することで、浴槽１２に入浴に適した温度の湯が貯湯される為、湯温が低いことによる追い炊きが必要がないので更に省エネが図れる。また凝縮機４が空気に触れることが無いため、常に凝縮機４での熱交換を維持出来るので、冷凍サイクルを正常に動作させることができる。
【００１７】
【発明の効果】
以上のように、請求項１〜３に記載の冷房装置付きトイレ装置によると、従来排水されていたお湯を省エネ（追い炊きの必要がない）を図りながら、有効活用が出来る冷房装置付きトイレ装置を提供できる。
【図面の簡単な説明】
【図１】本発明の実施例１の冷房装置付きトイレ装置の冷凍サイクルと浴槽へのお湯の供給方法の概略図
【図２】従来の冷房装置付きトイレ装置の一部透視の概略構成図
【符号の説明】
２  ロータンク
３  圧縮機
４  凝縮器
６  蒸発器
７  送風機
１１  水温センサー
１２  浴槽
【図１】
2005009232.tif 000003
【図２】
2005009232.tif 000004